(57)【要約】【課題】送信先とした相手機に原稿画像データを確実に送信する手段を提供する。【解決手段】相手機からのファクシミリの受信時に、前記相手機のファクシミリ通信用の電話番号である送信元電話番号と、前記相手機の識別情報である相手機識別情報とを対応付けた相手機固有情報を記憶する記憶部を備えたファクシミリ装置であって、相手機へのファクシミリの送信時に、送信先の前記電話番号である送信先電話番号を前記記憶部に記憶し、前記相手機からの前記相手機識別情報を受信したときに、前記相手機固有情報の前記送信先電話番号に対応する相手機識別情報を第１の相手機識別情報とし、前記受信した相手機識別情報を第２の相手機識別情報として比較し、前記比較結果が一致の場合は、前記ファクシミリの送信を継続する。【選択図】        図４
2019110418.tif 000002
【特許請求の範囲】
【請求項１】
相手機からのファクシミリの受信時に、前記相手機のファクシミリ通信用の電話番号である送信元電話番号と、前記相手機の識別情報である相手機識別情報とを対応付けた相手機固有情報を記憶する記憶部を備えたファクシミリ装置であって、
相手機へのファクシミリの送信時に、送信先の前記電話番号である送信先電話番号を前記記憶部に記憶し、
前記相手機からの前記相手機識別情報を受信したときに、前記相手機固有情報の前記送信先電話番号に対応する相手機識別情報を第１の相手機識別情報とし、前記受信した相手機識別情報を第２の相手機識別情報として比較し、
前記比較結果が一致の場合は、前記ファクシミリの送信を継続することを特徴とするファクシミリ装置。
【請求項２】
請求項１に記載のファクシミリ装置において、
前記比較結果が不一致の場合は、前記ファクシミリの送信を取止めることを特徴とするファクシミリ装置。
【請求項３】
請求項１または請求項２に記載のファクシミリ装置において、
前記相手機からのファクシミリの受信時であって、前記相手機から受信した相手機識別情報が、前記相手機固有情報の前記送信元電話番号に対応する相手機識別情報と不一致の場合は、当該相手機固有情報の相手機識別情報を、前記受信した相手機識別情報に書替えることを特徴とするファクシミリ装置。
【請求項４】
請求項１または請求項２に記載のファクシミリ装置において、
前記相手機からのファクシミリの受信時であって、前記送信元電話番号が、前記相手機固有情報に存在しない場合は、前記送信元電話番号と、前記受信した相手機識別情報とを対応付けた相手機固有情報を記憶することを特徴とするファクシミリ装置。
【請求項５】
請求項１または請求項２に記載のファクシミリ装置において、
前記相手機へのファクシミリの送信時であって、前記比較結果が不一致の場合に、前記第２の相手機識別情報が前記送信先電話番号と一致したときは、前記相手機固有情報の前記送信先電話番号に対応する相手機識別情報を、前記第２の相手機識別情報に書替えて前記相手機固有情報を更新することを特徴とするファクシミリ装置。
【請求項６】
請求項１または請求項２に記載のファクシミリ装置において、
前記相手機へのファクシミリの送信時であって、前記記憶した送信先電話番号が、前記相手機固有情報に存在しない場合であって、前記第２の相手機識別情報が前記送信先電話番号と一致したときは、前記送信先電話番号と、前記第２の相手機識別情報とを対応付けた相手機固有情報を記憶して前記相手機固有情報を更新することを特徴とするファクシミリ装置。
【請求項７】
請求項５または請求項６に記載のファクシミリ装置において、
前記相手機固有情報の更新後に、前記ファクシミリの送信を継続することを特徴とするファクシミリ装置。
【請求項８】
相手機からのファクシミリの受信時に、前記相手機のファクシミリ通信用の電話番号である送信元電話番号と、前記相手機の識別情報である相手機識別情報とを対応付けた相手機固有情報を記憶する記憶部を備えたファクシミリ装置のファクシミリ通信方法であって、
相手機へのファクシミリの送信時に、送信先の前記電話番号である送信先電話番号を前記記憶部に記憶するステップと、
前記相手機からの前記相手機識別情報を受信したときに、前記相手機固有情報の前記送信先電話番号に対応する相手機識別情報を第１の相手機識別情報とし、前記受信した相手機識別情報を第２の相手機識別情報として比較するステップと、
前記比較結果が一致の場合は、前記ファクシミリの送信を継続するステップと、を有することを特徴とするファクシミリ通信方法。
【発明の詳細な説明】
【技術分野】
【０００１】
本発明は、他のファクシミリ装置との間で原稿の画像データの送受信等を行うファクシミリ装置およびファクシミリ通信方法に関する。
【背景技術】
【０００２】
従来のファクシミリ装置は、原稿の画像データ（原稿画像データという。）の送信時に、自機が発信した相手機のファクシミリ通信用の電話番号（以下、単に電話番号という。）と、相手機のファクシミリ装置から送信されたＣＳＩ信号の電話番号とを比較し、一致した場合にのみ原稿画像データの送信を行っている（例えば、特許文献１参照。）。
【先行技術文献】
【特許文献】
【０００３】
【特許文献１】特開平６−１７８００４号公報（段落０００８−０００９、第３図）
【発明の概要】
【発明が解決しようとする課題】
【０００４】
しかしながら、相手機から送信されるＣＳＩ信号の識別情報は、相手機の利用者等によって任意に設定される文字列等のであるため必ずしも電話番号であるとは限らない。
このため、上述した従来の技術においては、相手機の識別情報として、相手機の電話番号以外のアルファベットや数字からなる他の文字列が設定されている場合には、自機が発信した相手機の電話番号と、相手機から受信した相手機の識別情報とが不一致になり、送信すべき原稿画像データが送信できない場合があるという問題がある。
本発明は、上記の問題点を解決するためになされたもので、送信先とした相手機に原稿画像データを確実に送信する手段を提供することを目的とする。
【課題を解決するための手段】
【０００５】
本発明は、上記課題を解決するために、相手機からのファクシミリの受信時に、前記相手機のファクシミリ通信用の電話番号である送信元電話番号と、前記相手機の識別情報である相手機識別情報とを対応付けた相手機固有情報を記憶する記憶部を備えたファクシミリ装置であって、相手機へのファクシミリの送信時に、送信先の前記電話番号である送信先電話番号を前記記憶部に記憶し、前記相手機からの前記相手機識別情報を受信したときに、前記相手機固有情報の前記送信先電話番号に対応する相手機識別情報を第１の相手機識別情報とし、前記受信した相手機識別情報を第２の相手機識別情報として比較し、前記比較結果が一致の場合は、前記ファクシミリの送信を継続することを特徴とする。
【発明の効果】
【０００６】
これにより、本発明は、送信先とした相手機に原稿画像データを確実に送信することができるという効果が得られる。
【図面の簡単な説明】
【０００７】
【図１】実施例のファクシミリ装置を示すブロック図
【図２】実施例の相手機固有情報テーブルの構成例を示す説明図
【図３】実施例のファクシミリ受信処理を示すフローチャート
【図４】実施例のファクシミリ送信処理を示すフローチャート
【発明を実施するための形態】
【０００８】
以下に、図面を参照して本発明によるファクシミリ装置の実施例について説明する。
【実施例】
【０００９】
以下に、図１ないし図４を用いて本実施例のファクシミリ装置について説明する。
【００１０】
本実施例のファクシミリ装置１は、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  ｓｔａｎｄａｒｄｉｚａｔｉｏｎ  ｓｅｃｔｏｒ)によって策定された勧告Ｔ．３０（ファクシミリ伝送手順）に従ってファクシミリ通信を行う装置であって、図１に示すように、電話網２を介して、相手先のファクシミリ装置である相手機３と接続している。
【００１１】
操作表示部４は、ＬＣＤ等の表示画面と、表示画面上に設けられたタッチパネルや、文字キーやテンキー等からなるキーボード等の入力手段とを備えており、表示画面に、装置状態等の利用者に対する情報や各種の入力画面等を表示すると共に、入力手段により送信先の電話番号等の入力を受付ける。
スキャナ部５は、媒体としての印刷用の用紙に印刷された原稿の原稿画像を読取り、読取った原稿画像を基に原稿画像データを生成する。
印刷部６は、相手機３から受信した原稿画像データを用紙に印刷して排出する。
電話網通信部７は、制御部１１と電話網２とを接続するインタフェースである。
【００１２】
ファクシミリ装置１の制御部１１は、ＣＰＵ（Ｃｅｎｔｒａｌ  Ｐｒｏｃｅｓｓｉｎｇ  Ｕｎｉｔ）等を備えており、ファクシミリ装置１内の各部を、システムバスを介して制御し、ファクシミリ受信処理やファクシミリ送信処理等のファクシミリ通信処理を実行する。
記憶部１２は、ＲＯＭ（Ｒｅａｄ  Ｏｎｌｙ  Ｍｅｍｏｒｙ）やＲＡＭ（Ｒａｎｄｏｍ  Ａｃｃｅｓｓ Ｍｅｍｏｒｙ）、不揮発性のＦＬＡＳＨ  ｍｅｍｏｒｙ（フラッシュメモリと記す。）等を備えており、ＲＯＭに制御部１１が実行する通信処理プログラムを記憶すると共に、ＲＡＭに制御部１１によるプログラム実行時の処理結果や、画像データ等を記憶する。
また、記憶部１２のフラッシュメモリには、制御部１１によるプログラム実行に用いる各種のデータが記憶される。
【００１３】
本実施例の制御部１１に設けられたファクシミリ通信部１４は、電話網２に対する呼制御やファクシミリ通信を行う機能を有するプログラムと制御部１１により形成される機能手段である。
【００１４】
相手機電話番号取得部１５は、電話網２からファクシミリを受信したときに、発信者電話番号通知サービスを用いて情報受信端末起動信号（ＣＡＲ信号という。）に続けて送出される送信元の相手機３の電話番号を解析して取得する機能を有するプログラムと制御部１１により形成される機能手段である。
相手機識別情報取得部１６は、相手機３から送信されるＴＳＩ信号（勧告Ｔ．３０に規定された信号、ファクシミリ送信時に、送信先に対して自機の識別情報を通知するために用いる。）、またはＣＳＩ信号（勧告Ｔ．３０に規定された信号、ファクシミリ受信時に、送信元に対して自機の識別情報を通知するために用いる。）を受信し、これを解析して相手機３の識別情報を取得する機能を有するプログラムと制御部１１により形成される機能手段である。
【００１５】
相手機識別情報検索部１７は、ファクシミリ通信において、相手機電話番号取得部１５で取得した相手機３の電話番号を基に、相手機固有情報テーブル２１を検索して、当該電話番号に対応する相手機識別情報を取得する機能を有するプログラムと制御部１１により形成される機能手段である。
記憶部１２に設けられた相手機固有情報テーブル２１は、図２に示すように、相手機３の電話番号に対応させて、相手機３から受信したＴＳＩ信号やＣＳＩ信号等に含まれる相手機３の識別情報を記憶するフラッシュメモリ上の領域であって、１つの相手機３が１行（１レコード）として記憶される。
【００１６】
なお、本実施例の相手機固有情報テーブル２１は、初期状態では何も記憶されておらず、後述するファクシミリの受信処理および送信処理のときに、相手機固有情報テーブル２１に記憶されていない新たな相手機３の電話番号を受取ったとき等に、当該電話番号と、当該相手機３から受信した相手機３の識別情報とを対応付けた相手機固有情報を記憶して、相手機固有情報を蓄積するテーブルである。
自機固有情報記憶エリア２２は、利用者が操作表示部４の入力手段によって入力したファクシミリ装置１自身の電話番号および識別情報を記憶する記憶部１２のフラッシュメモリ上の領域である。
【００１７】
本実施例の自機固有情報は、電話番号および識別情報のいずれにも自機の電話番号が記憶されている。
【００１８】
送信元電話番号記憶エリア２３は、ファクシミリ受信において、相手機電話番号取得部１５で取得した相手機３の電話番号を一時的に記憶する記憶部１２のＲＡＭ上の領域である。
送信先電話番号記憶エリア２４は、ファクシミリ送信において、送信した相手機３の電話番号を一時的に記憶する記憶部１２のＲＡＭ上の領域である。
【００１９】
以下に、図３、図４を用いて、本実施例のファクシミリ装置１によるファクシミリ通信処理の処理動作について説明する
以下の説明においては、ファクシミリ受信処理の処理動作は、主に図３にＳで示すステップに従って、ファクシミリ送信処理の処理動作は、主に図４にＳＡで示すステップに従って説明する。
【００２０】
利用者がファクシミリ装置１に電源を投入すると、記憶部１２に格納されている通信処理プログラムが自動的に起動され、操作表示部４の表示画面には、ファクシミリ送信に関する初期画面が表示される。
【００２１】
Ｓ１： ファクシミリ装置１の制御部１１は、送信先の相手機３の電話番号の入力を待って待機しており、利用者が、初期画面から入力した送信先の電話番号を受付けたときに、ファクシミリ送信処理の開始を認識し、結合子Ａを介して図４のステップＳＡ１へ移行する。送信先電話番号が入力されていない場合はステップＳ２へ移行する。
【００２２】
Ｓ２：制御部１１は、電話網２から送出されるＣＡＲ信号の検出を待って待機しており、電話通信部７によってＣＡＲ信号を検出したときに、ファクシミリ受信処理の開始を認識し、一次応答として回線を捕捉してステップＳ３へ移行する。ＣＡＲ信号を検出しないときはステップＳ１、Ｓ２による待機を継続する。
【００２３】
Ｓ３：ＣＡＲ信号の検出によりファクシミリ受信処理の開始を認識した制御部１１は、ＣＡＲ信号に続けて送出される、送信元の相手機３の電話番号を含む信号を相手機電話番号取得部１５によって解析し、解析により相手機３から取得した相手機電話番号を記憶部１２の送信元電話番号記憶エリア２３に記憶する。
【００２４】
Ｓ４：相手機電話番号を取得した制御部１１は、一次応答として捕捉した回線を解放してステップＳ５へ移行する。
【００２５】
Ｓ５：制御部１１は、回線の解放後に、電話網２から送出される呼出信号の検出を待って待機し、電話通信部７によって呼出信号を検出したときに、二次応答として回線を捕捉してステップＳ６へ移行する。呼出信号を検出しない場合は前記の待機を継続する。
【００２６】
Ｓ６：呼出信号の検出により回線を捕捉した制御部１１は、自機固有情報記憶エリア２２から自機の識別情報（本実施例では、自機の電話番号）を読出し、読出した識別情報を含めたＣＳＩ信号を電話通信部７によって電話網２へ送出する。
【００２７】
Ｓ７：ＣＳＩ信号を送出した制御部１１は、相手機３から送信される相手機識別情報を含めたＴＳＩ信号の受信を待って待機し、電話通信部７によってＴＳＩ信号を受信したときにステップＳ８へ移行する。ＴＳＩ信号を受信しない場合はステップＳ１２へ移行する。
【００２８】
Ｓ８：ＴＳＩ信号を受信した制御部１１は、相手機識別情報取得部１６によって、受信したＴＳＩ信号を解析して相手機識別情報を取得する。
【００２９】
Ｓ９：相手機識別情報を取得した制御部１１は、送信元電話番号記憶エリア２３に記憶されている送信元の相手機電話番号を読出し、相手機識別情報検索部１７によって、読出した相手機電話番号を基に、相手機固有情報テーブル２１を検索し、当該相手機電話番号に一致する電話番号が、相手機固有情報テーブル２１に存在する場合はステップＳ１０へ移行する。送信元の相手機電話番号に一致する電話番号が、相手機固有情報テーブル２１に存在しない場合はステップＳ１１へ移行する。
【００３０】
Ｓ１０：送信元の相手機電話番号に一致する電話番号が、相手機固有情報テーブル２１に存在することを認識した制御部１１は、当該電話番号に対応して記憶されている相手機識別情報と、ステップＳ８でＴＳＩ信号を基に取得した相手機識別情報とが一致する場合はステップＳ１２へ移行する。
相手機固有情報テーブル２１の相手機識別情報と、取得した相手機識別情報とが一致しない場合はステップＳ１１へ移行する。
【００３１】
Ｓ１１：送信元の相手機電話番号に一致する電話番号が相手機固有情報テーブル２１に存在しないことによりステップＳ９から移行した、または相手機固有情報テーブル２１の相手機識別情報と、取得した相手機識別情報とが一致しないことによりステップＳ１０から移行した制御部１１は、相手機固有情報テーブル２１に送信元の相手機電話番号が存在しない場合は、当該送信元の相手機電話番号と、取得した相手機識別情報とを対応付けた新たな相手機固有情報を記憶して相手機固有情報テーブル２１を更新しステップＳ１２へ移行する。
また、相手機固有情報テーブル２１に送信元の相手機電話番号が存在する場合は、当該相手機固有情報の識別情報を、取得した相手機識別情報に書替えて相手機固有情報テーブル２１を更新しステップＳ１２へ移行する。
【００３２】
Ｓ１２：ＴＳＩ信号を受信しないことによりステップＳ７から移行した、もしくは相手機固有情報の送信元の相手機電話番号に一致する電話番号の相手機識別情報と、取得した相手機識別情報とが一致することによりステップＳ９から移行した、または相手機固有情報テーブル２１を更新してステップＳ１０から移行した制御部１１は、勧告Ｔ．３０に従って、相手機３から送信された原稿画像データを受信する。
【００３３】
Ｓ１３：相手機３の原稿画像データを受信した制御部１１は、二次応答として捕捉した回線を解放してステップＳ１４へ移行する。
【００３４】
Ｓ１４：回線を解放した制御部１１は、受信した原稿画像データを印刷部６によって用紙に印刷して排出し、今回のファクシミリ受信処理を終了させてステップＳ１へ戻り、ステップＳ１による送信先電話番号の入力待状態での待機、ステップＳ２によるＣＡＲ信号の検出待状態での待機を継続する。
【００３５】
ＳＡ１：一方、上記図３のステップＳ１で、送信先電話番号の入力を受付けたことによりファクシミリ送信処理の開始を認識し、結合子Ａを介して移行した制御部１１は、受付けた送信先電話番号を、記憶部１２の送信先電話番号記憶エリア２４に記憶し、回線を捕捉してステップＳＡ２へ移行する。
【００３６】
ＳＡ２：回線を捕捉した制御部１１は、ファクシミリ通信部１４により、受付けた送信先電話番号を、電話通信部７を介して電話網２へ発信する。
【００３７】
ＳＡ３：送信先電話番号の発信後に、電話網２を介して相手機３から送信される、相手機識別情報を含んだＣＳＩ信号の受信を待って待機していた制御部１１は、電話通信部７によってＣＳＩ信号を受信したときにステップＳＡ４へ移行する。ＣＳＩ信号を受信しない場合はステップＳＡ１４へ移行する。
【００３８】
ＳＡ４：ＣＳＩ信号を受信した制御部１１は、相手機識別情報取得部１６によって、受信したＣＳＩ信号を解析し、解析により得られた相手機識別情報を第１の相手機識別情報として取得しステップＳＡ５へ移行する。
【００３９】
ＳＡ５：ＣＳＩ信号を基に第１の相手機識別情報を取得した制御部１１は、相手機識別情報検索部１７によって、送信先電話番号記憶エリア２４に記憶した送信先の相手機電話番号を基に、相手機固有情報テーブル２１を検索してステップＳＡ６へ移行する。
【００４０】
ＳＡ６：相手機固有情報テーブル２１を検索した制御部１１は、送信先電話番号記憶エリア２４に記憶されている送信先の相手機電話番号を読出し、当該相手機電話番号に一致する電話番号が、相手機固有情報テーブル２１に存在する場合はステップＳＡ７へ移行する。送信先の相手機電話番号に一致する電話番号が、相手機固有情報テーブル２１に存在しない場合はステップＳＡ９へ移行する。
【００４１】
ＳＡ７：送信先の相手機電話番号に一致する電話番号が、相手機固有情報テーブル２１に存在することを認識した制御部１１は、当該電話番号に対応して記憶されている相手機識別情報を第２の相手機識別情報として取得しステップＳＡ８移行する。
【００４２】
ＳＡ８：相手機固有情報テーブル２１に記憶されている第２の相手機識別情報を取得した制御部１１は、上記ステップＳＡ４で取得した第１の相手機識別情報と、第２の相手機識別情報を比較し、比較結果が一致の場合はステップＳＡ１１へ移行する。比較結果が不一致の場合はステップＳＡ９へ移行する。
【００４３】
ＳＡ９：送信先の相手機電話番号に一致する電話番号が相手機固有情報テーブル２１に存在しないことによりステップＳＡ６から移行した、または第１と第２の相手機識別情報とが一致しないことによりステップＳＡ８から移行した制御部１１は、受信により取得した第１の相手機識別情報が電話番号であって、当該電話番号が送信先電話番号記憶エリア２４に記憶されている送信先の相手機電話番号と一致する場合はステップＳＡ１０へ移行する。
第１の相手機識別情報と送信先の相手機電話番号とが一致しない場合、つまり受信により取得した第１の相手機識別情報が、送信先の相手機電話番号以外の場合はステップＳＡ１４へ移行する。
【００４４】
ＳＡ１０：第１の相手機識別情報と送信先の相手機電話番号とが一致することを認識した制御部１１は、相手機固有情報テーブル２１に送信先の相手機電話番号が存在しない場合は、当該送信先の相手機電話番号と、当該相手機電話番号からなる第１の相手機識別情報とを対応付けた新たな相手機固有情報を記憶して相手機固有情報テーブル２１を更新しステップＳＡ１１へ移行する。
また、相手機固有情報テーブル２１に送信先の相手機電話番号が存在し、第１と第２の相手機識別情報が不一致であって、第１の相手機識別情報が送信先の電話番号である場合は、当該相手機固有情報の識別情報を、第１の相手機識別情報に書替えて相手機固有情報テーブル２１を更新しステップＳＡ１１へ移行する。
【００４５】
ＳＡ１１：第１と第２の相手機識別情報が一致することによりステップＳＡ８から移行した、または相手機固有情報テーブル２１を更新してステップＳＡ１０から移行した制御部１１は、自機固有情報記憶エリア２２から自機の識別情報（本実施例では、自機の電話番号）を読出し、読出した識別情報を含めたＴＳＩ信号を電話通信部７によって電話網２へ送出する。
【００４６】
ＳＡ１２：自機の識別情報を送出した制御部１１は、スキャナ部５によって、セットされている原稿の原稿画像を読取り、これを基に原稿画像データを生成する。
【００４７】
ＳＡ１３：原稿画像データを生成した制御部１１は、勧告Ｔ．３０に従って、生成した原稿画像データを相手機３へ送信する。
【００４８】
ＳＡ１４：相手機３（送信先）からのＣＳＩ信号を受信しないことによりステップＳＡ３から移行した、もしくは第１の相手機識別情報が送信先の電話番号以外であることによりステップＳＡ９から移行した、または原稿画像データを送信してステップＳＡ１３から移行した制御部１１は、今回のファクシミリ送信処理を終了させてステップＳ１へ戻り、ステップＳ１による送信先電話番号の入力待状態での待機、ステップＳ２によるＣＡＲ信号の検出待状態での待機を継続する。
この場合に、ステップＳＡ３から移行した場合は、電話網２の交換機等による誤接続によって相手機３として、電話機等のファクシミリ装置以外の装置に接続されてしまった可能性があるので、制御部１１は、原稿画像データの相手機３への送信を取止めて送信処理を終了させる。
また、ステップＳＡ９から移行した場合は、誤接続によって、送信先の相手機３以外のファクシミリ装置に接続されてしまった可能性があるので、制御部１１は、原稿画像データの相手機３への送信を取止めて送信処理を終了させる。
【００４９】
このようにして、本実施例のファクシミリ装置１によるファクシミリ受信処理およびファクシミリ送信処理からなるファクシミリ通信処理が実行される。
【００５０】
以上説明したように、本実施例では、事前に相手機３からファクシミリを受信したときに、相手機固有情報テーブル２１に、当該相手機３の電話番号と相手機識別情報とを対応付けた相手機固有情報を記憶しておくため、その後に同じ相手機３へのファクシミリ送信において、相手機３から送信される相手機識別情報が、相手機固有情報テーブル２１の相手機識別情報と一致するので、例え、相手機３の識別情報が、相手機電話番号以外のアルファベットや数字からなる他の文字列に設定されていたとしても、送信先とした相手機３に原稿画像データを確実に送信することができる。
【００５１】
また、本実施例では、相手機３の識別情報が変更された場合であっても、当該相手機３とのファクシミリの送受信時に、変更された識別情報を受信した場合は、相手機固有情報テーブル２１の当該相手機固有情報の識別情報を受信した新たな識別情報に書替えて更新しておくので、ファクシミリの送信時に相手機３の識別情報が、相手機電話番号以外の他の文字列に変更されていたとしても、送信先とした相手機３に原稿画像データを確実に送信することができる。
【００５２】
更に、本実施例では、ファクシミリの送信時に、電話網２の交換機等による誤接続によって、送信先の電話番号とは異なる電話番号の相手機３に接続されたとしても、相手機３から送信された識別情報が、送信先の電話番号と一致しない場合は、原稿画像データの送信を取止めるので、誤接続により間違った相手機３に接続された場合における原稿画像データの送信を未然に防止することができる。
【００５３】
更に、本実施例によれば、相手機３に本発明が適用されていなくても、送信先とした相手機３に原稿画像データを確実に送信することができる。
【００５４】
なお、上記実施例においては、ファクシミリ装置１に本発明を適用した場合について説明したが、複合機等のファクシミリ機能を有する装置であれば、どのような装置であっても適用可能である。
【符号の説明】
【００５５】
１    ファクシミリ装置
２    電話網
３    相手機
４    操作表示部
５    スキャナ部
６    印刷部
７    電話網通信部
１１  制御部
１２  記憶部
１４  ファクシミリ通信部
１５  相手機電話番号取得部
１６  相手機識別情報取得部
１７  相手機識別情報検索部
２１  相手機固有情報テーブル
２２  自機固有情報記憶エリア
２３  送信元電話番号記憶エリア
２４  送信先電話番号記憶エリア
【図１】
2019110418.tif 000003
【図２】
2019110418.tif 000004
【図３】
2019110418.tif 000005
【図４】
2019110418.tif 000006